(57)【要約】【課題】排水フィルタに関するメンテナンス性の向上を図れる洗濯機を提供する。【解決手段】洗濯機１は、筐体２内に配置された洗濯槽１３内の水を筐体２外に排出する排水路５と、排水路５に対して着脱される排水フィルタ６とを含む。排水フィルタ６は、排水路５に対する排水フィルタ６の装着に応じて排水路５内に配置される本体３２と、本体３２によって移動可能に支持される櫛部３３とを有する。櫛部３３は、排水路５に対する排水フィルタ６の装着に応じて本体３２内に進出し、排水路５からの排水フィルタ６の離脱に応じて本体３２内から退避する。排水フィルタ６が排水路５に装着された状態において、排水フィルタ６は、排水路５を流れる排水に含まれる異物を櫛部３３によって本体３２内で捕獲する。【選択図】図１
2020103718.tif 000002
【特許請求の範囲】
【請求項１】
筐体と、
前記筐体内に配置され、洗濯物を収容し、水が溜められる洗濯槽と、
前記洗濯槽内の水を前記筐体外に排出する排水路と、
前記排水路に対して着脱される排水フィルタであって、
前記排水路に対する前記排水フィルタの装着に応じて前記排水路内に配置される本体と、
前記本体によって移動可能に支持され、前記排水路に対する前記排水フィルタの装着に応じて前記本体内に進出し、前記排水路からの前記排水フィルタの離脱に応じて前記本体内から退避する櫛部とを有し、
前記排水フィルタが前記排水路に装着された状態において、前記排水路を流れる排水に含まれる異物を前記櫛部によって前記本体内で捕獲する排水フィルタとを含む、洗濯機。
【請求項２】
前記排水路に対する前記排水フィルタの着脱に応じて前記櫛部を進退させるガイド部をさらに含む、請求項１に記載の洗濯機。
【請求項３】
前記本体には、進退する前記櫛部が挿通される挿通穴が形成され、
前記排水フィルタは、前記本体における前記挿通穴の周縁部と前記櫛部との隙間を埋めるシール部をさらに有する、請求項１または２に記載の洗濯機。
【発明の詳細な説明】
【技術分野】
【０００１】
この発明は、洗濯機に関する。
【背景技術】
【０００２】
下記特許文献１に記載の洗濯乾燥機は、排水に含まれる異物を捕獲するフィルタユニットを含む。フィルタユニットは、多数の濾過孔が形成されたバスケットを有する。洗濯乾燥機内の排水は、バスケット内を流れて濾過孔を通過し、その際に、排水に含まれる異物が濾過孔で捕獲されてバスケット内に溜まる。
【先行技術文献】
【特許文献】
【０００３】
【特許文献１】特開２００９−１２５５３７号公報
【発明の概要】
【発明が解決しようとする課題】
【０００４】
特許文献１に記載のフィルタユニットでは、糸くずや髪の毛などの長尺の異物がバスケットの濾過孔に絡みやすく、メンテナンス時には、濾過孔に絡んだ異物を取り除くのに手間がかかる。
【０００５】
この発明は、かかる背景のもとでなされたもので、排水フィルタに関するメンテナンス性の向上を図れる洗濯機を提供することを目的とする。
【課題を解決するための手段】
【０００６】
本発明は、筐体と、前記筐体内に配置され、洗濯物を収容し、水が溜められる洗濯槽と、前記洗濯槽内の水を前記筐体外に排出する排水路と、前記排水路に対して着脱される排水フィルタであって、前記排水路に対する前記排水フィルタの装着に応じて前記排水路内に配置される本体と、前記本体によって移動可能に支持され、前記排水路に対する前記排水フィルタの装着に応じて前記本体内に進出し、前記排水路からの前記排水フィルタの離脱に応じて前記本体内から退避する櫛部とを有し、前記排水フィルタが前記排水路に装着された状態において、前記排水路を流れる排水に含まれる異物を前記櫛部によって前記本体内で捕獲する排水フィルタとを含む、洗濯機である。
【０００７】
また、本発明は、前記洗濯機が、前記排水路に対する前記排水フィルタの着脱に応じて前記櫛部を進退させるガイド部をさらに含むことを特徴とする。
【０００８】
また、本発明は、前記本体には、進退する前記櫛部が挿通される挿通穴が形成され、前記排水フィルタが、前記本体における前記挿通穴の周縁部と前記櫛部との隙間を埋めるシール部をさらに有することを特徴とする。
【発明の効果】
【０００９】
本発明によれば、排水フィルタが洗濯機の排水路に装着されて排水フィルタの本体が排水路内に配置されると、櫛部が本体内に進出する。本体内に進出した櫛部は、排水路を流れる排水に含まれる異物を本体内で捕獲する。これにより、本体内では、捕獲された異物が櫛部に絡むのだが、排水フィルタを排水路から離脱させると櫛部が本体内から退避するので、自動的に異物を櫛部から取り除いて本体内にまとめることができる。そのため、使用者は、メンテナンスのために排水路から離脱させた排水フィルタの本体内からスムーズに異物を取り出すことができるので、排水フィルタに関するメンテナンス性の向上を図れる。
【００１０】
また、本発明によれば、ガイド部によって、排水路に対する排水フィルタの着脱に応じて櫛部をスムーズに進退させることができる。
【００１１】
また、本発明によれば、排水フィルタでは、進退時の櫛部が本体の挿通穴に挿通される。本体における挿通穴の周縁部と櫛部との隙間がシール部によって埋められるので、この隙間に異物が入り込むことを防止できる。そのため、この隙間に入り込んだ異物を取り除く手間を省けるので、排水フィルタに関するメンテナンス性の一層の向上を図れる。
【図面の簡単な説明】
【００１２】
【図１】図１は、この発明の一実施形態に係る洗濯機の模式的な縦断面右側面図である。
【図２】図２は、洗濯機内に配置されたフィルタユニットの斜視図である。
【図３】図３は、フィルタユニットを構成する排水フィルタの分解斜視図である。
【図４】図４は、排水フィルタの斜視図である。
【図５】図５は、排水フィルタの平面図である。
【図６】図６は、図５のＡ−Ａ矢視断面図である。
【図７】図７は、排水フィルタの斜視図である。
【図８】図８は、排水フィルタの断面図である。
【図９】図９は、フィルタユニットを構成する受け部の斜視図である。
【図１０】図１０は、受け部および着脱途中の排水フィルタの平面図である。
【図１１】図１１は、図１０のＢ−Ｂ矢視断面図である。
【図１２】図１２は、受け部および装着済みの排水フィルタの平面図である。
【図１３】図１３は、図１２のＣ−Ｃ矢視断面図である。
【発明を実施するための形態】
【００１３】
以下には、図面を参照して、この発明の実施形態について具体的に説明する。図１は、この発明の一実施形態に係る洗濯機１の模式的な縦断面右側面図である。図１の紙面に直交する方向を洗濯機１の左右方向Ｘといい、図１における左右方向を洗濯機１の前後方向Ｙといい、図１における上下方向を洗濯機１の上下方向Ｚという。左右方向Ｘのうち、図１の紙面における奥側を左側Ｘ１といい、図１の紙面における手前側を右側Ｘ２という。前後方向Ｙのうち、図１における左側を前側Ｙ１といい、図１における右側を後側Ｙ２という。上下方向Ｚのうち、上側を上側Ｚ１といい、下側を下側Ｚ２という。
【００１４】
この実施形態の洗濯機１は、いわゆるドラム式の洗濯乾燥機である。洗濯機１は、筐体２と、筐体２内に配置された外槽３と、外槽３に接続された給水路４および排水路５と、排水路５を通って外槽３から排出される水から異物を捕獲する排水フィルタ６と、外槽３内に配置されて洗濯物Ｌを収容する内槽７と、内槽７を回転させるモータ８と、内槽７内の洗濯物Ｌを乾燥させる乾燥部９とを含む。
【００１５】
筐体２は、ボックス状に形成される。筐体２の前面２Ａは、例えば垂直面である。前面２Ａには、筐体２の内外を連通させる開口２Ｂが形成される。前面２Ａには、開口２Ｂを開閉する扉１０が設けられる。
【００１６】
外槽３は、ダンパ（図示せず）を介して、筐体２によって弾性支持される。外槽３は、水平方向Ｈに沿って前後方向Ｙに延びる軸線Ｊを中心とした円筒状の円周壁３Ａと、円周壁３Ａの中空部分を後側Ｙ２から塞いだ円盤状の背面壁３Ｂと、円周壁３Ａの前端縁につながったリング状の正面壁３Ｃとを有する。背面壁３Ｂの中心には、軸線Ｊに沿って背面壁３Ｂを前後方向Ｙに貫通した貫通孔３Ｄが形成される。正面壁３Ｃは、円周壁３Ａの前端縁から軸線Ｊ側へ張り出した円環状の第１部３Ｅと、第１部３Ｅの内周縁から前側Ｙ１へ突出した円筒状の第２部３Ｆと、第２部３Ｆの前端縁から軸線Ｊ側へ張り出した円環状の第３部３Ｇとを有する。第３部３Ｇの内側には、円周壁３Ａの中空部分に前側Ｙ１から連通した出入口３Ｈが形成される。出入口３Ｈは、筐体２の開口２Ｂに対して後側Ｙ２から対向して連通する。
【００１７】
給水路４は、蛇口（図示せず）に接続された一端（図示せず）と、外槽３の背面壁３Ｂに接続された他端４Ａとを有する。給水時には、蛇口からの水が給水路４から外槽３内に供給される。外槽３内には、水道水や、水道水に洗剤が溶けた洗剤水などの水が溜められる。給水路４の途中には、給水を開始したり停止したりするために開閉される給水弁１１が設けられる。
【００１８】
排水路５は、外槽３の下端部、例えば正面壁３Ｃの第１部３Ｅの下端部に接続される。外槽３内の水は、排水路５から機外つまり筐体２の外に排出される。排水路５の途中には、排水を開始したり停止したりするために開閉される排水弁１２が設けられる。
【００１９】
排水フィルタ６は、排水路５において排水弁１２よりも外槽３に近い上流部に設けられる。排水フィルタ６の前端は、筐体２の前面２Ａに露出されるので、使用者は、排水フィルタ６の前端を掴んで排水フィルタ６を筐体２に対して着脱させることができる。排水フィルタ６については、追って詳説する。
【００２０】
内槽７は、外槽３よりも一回り小さい。外槽３および内槽７は、洗濯槽１３を構成する。内槽７は、外槽３の円周壁３Ａと同軸上に配置された円筒状の円周壁７Ａと、円周壁７Ａの中空部分を後側Ｙ２から塞いだ円盤状の背面壁７Ｂと、円周壁７Ａの前端縁から軸線Ｊ側へ張り出した円環状の環状壁７Ｃとを有する。内槽７において少なくとも円周壁７Ａには、複数の貫通孔７Ｄが形成され、外槽３内の水は、貫通孔７Ｄを介して、外槽３と内槽７との間で行き来する。そのため、外槽３内の水位と内槽７内の水位とは一致する。内槽７の背面壁７Ｂの中心には、軸線Ｊに沿って後側Ｙ２へ延びる支持軸１４が設けられる。支持軸１４の後端部は、外槽３の背面壁３Ｂの貫通孔３Ｄを通って背面壁３Ｂよりも後側Ｙ２に配置される。
【００２１】
環状壁７Ｃの内側には、円周壁７Ａの中空部分に前側Ｙ１から連通した出入口７Ｅが形成される。出入口７Ｅは、外槽３の出入口３Ｈおよび筐体２の開口２Ｂに対して後側Ｙ２から対向して連通する。出入口３Ｈおよび出入口７Ｅは、開口２Ｂとともに、扉１０によって一括開閉される。洗濯機１の使用者は、開放された開口２Ｂ、出入口３Ｈおよび出入口７Ｅを介して、内槽７内に洗濯物Ｌを出し入れする。
【００２２】
モータ８は、筐体２内において、外槽３の背面壁３Ｂの後側Ｙ２に配置される。モータ８は、内槽７に設けられた支持軸１４に連結される。モータ８が発生した駆動力は、支持軸１４に伝達され、内槽７が、支持軸１４を伴って軸線Ｊまわりに回転する。なお、モータ８と支持軸１４と間には、モータ８の駆動力を支持軸１４に伝達したり遮断したりするクラッチ機構（図示せず）が設けられてもよい。
【００２３】
乾燥部９は、循環路２０と、送風部２１と、加熱部２２とを含む。循環路２０は、筐体２内において例えば外槽３の上側Ｚ１に配置された流路である。循環路２０の一端には取出口２０Ａが形成され、循環路２０の一端には戻し口２０Ｂが形成される。取出口２０Ａは、外槽３の背面壁３Ｂにおいて外槽３内の上限水位よりも高い部分に接続され、外槽３内に後側Ｙ２から連通する。戻し口２０Ｂは、外槽３の正面壁３Ｃの第２部３Ｆの上端部に接続され、外槽３内に上側Ｚ１から連通する。
【００２４】
送風部２１は、いわゆるブロアであり、循環路２０内に配置された回転羽根２３と、回転羽根２３を回転させるモータ（図示せず）とを含む。回転羽根２３が回転すると、洗濯槽１３内の空気、つまり外槽３内および内槽７内の空気が、太い破線矢印で示すように、取出口２０Ａから循環路２０内に取り出された後に、戻し口２０Ｂから洗濯槽１３内に戻される。これにより、洗濯槽１３内の空気は、洗濯槽１３と循環路２０とを順に流れるように循環する。
【００２５】
加熱部２２は、ヒートポンプにおける熱交換器または一般的なヒータなどであり、少なくとも一部が、循環路２０内に設けられる。加熱部２２において循環路２０内に設けられた部分は、例えばフィン状の放熱部２２Ａを複数有する。加熱部２２が作動すると放熱部２２Ａが高温になるので、循環路２０内を流れる空気が放熱部２２Ａの周囲を通過する際に加熱されて熱風になる。
【００２６】
洗濯機１は、マイコンとして構成された制御部２４を含む。制御部２４は、モータ８、給水弁１１、排水弁１２、送風部２１および加熱部２２の動作を制御することによって洗濯運転を実行する。洗濯運転は、洗い工程と、すすぎ工程と、脱水工程と、乾燥工程とを含む。
【００２７】
洗い工程の開始に先立って、内槽７内に洗剤が投入される。制御部２４は、洗い工程では、排水弁１２を閉じた状態で、給水弁１１を所定時間開いて外槽３および内槽７に給水してから、モータ８によって内槽７を回転させる。これにより、内槽７内の洗濯物Ｌが、たたき洗いされる。たたき洗いでは、洗濯物Ｌがある程度持ち上げられてから水面に自然落下するというタンブリングが繰り返される。タンブリングによる衝撃や、内槽７に溜まった水に含まれる洗剤成分によって、洗濯物Ｌから汚れが取り除かれる。タンブリングの開始から所定時間が経過した後に、制御部２４が排水弁１２を開いて排水すると、洗い工程が終了する。
【００２８】
制御部２４は、すすぎ工程では、排水弁１２を閉じた状態で、給水弁１１を所定時間開いて外槽３および内槽７に給水してから、モータ８によって内槽７を回転させる。すると、前述したタンブリングが繰り返されるので、洗濯物Ｌが内槽７内の水道水によってすすがれる。タンブリングの開始から所定時間が経過した後に、制御部２４が排水すると、すすぎ工程が終了する。すすぎ工程は、複数回繰り返されてもよい。制御部２４は、脱水工程では、排水弁１２を開いた状態で、内槽７を脱水回転させる。内槽７の脱水回転により生じた遠心力によって、内槽７内の洗濯物Ｌが脱水される。脱水により洗濯物Ｌから染み出た水は、排水路５から機外に排出される。脱水工程は、すすぎ工程後だけでなく、洗い工程後にも実施されてもよい。
【００２９】
制御部２４は、乾燥工程では、送風部２１および加熱部２２によって熱風を発生させて内槽７と循環路２０との間で循環させ、内槽７内の洗濯物Ｌに供給する。これにより、洗濯物Ｌが乾燥する。なお、洗濯機１は、乾燥部９が省かれた洗濯機であってもよく、その場合の洗濯運転では、乾燥工程が省略される。
【００３０】
次に排水フィルタ６について詳説する。洗濯機１は、排水フィルタ６を有するフィルタユニット３０を含む。図２は、フィルタユニット３０の斜視図である。フィルタユニット３０は、排水フィルタ６の他に、受け部３１も有する。受け部３１は、排水路５の一部を構成して、排水フィルタ６が着脱される部材である。以下の説明では、前述した左右方向Ｘ、前後方向Ｙおよび上下方向Ｚを用いて排水フィルタ６および受け部３１のそれぞれの向きを特定する。なお、フィルタユニット３０を構成する各部品は、以下で特に説明がない限り、樹脂製である。
【００３１】
図３は、排水フィルタ６の分解斜視図である。排水フィルタ６は、捕獲した異物を収容するための本体３２と、排水路５内を流れる排水から実際に異物を捕獲する櫛部３３とを有する。本体３２は、前後方向Ｙに長手のボックス状の収容部３４と、収容部３４の前端部に連結された操作部３５と、収容部３４内に収容されるアタッチメント３６およびシール部３７とを有する。
【００３２】
収容部３４は、前後方向Ｙに長い長方形板状の底壁３８と、底壁３８の右端から立ち上がった長方形板状の右壁３９と、底壁３８の左端から立ち上がった長方形板状の左壁４０とを有する。収容部３４は、底壁３８の後端から立ち上がって右壁３９および左壁４０の後端間に架設された矩形板状の後壁４１と、底壁３８、右壁３９および左壁４０の各前端に接続された円盤状の前壁４２とをさらに有する。収容部３４内には、底壁３８、右壁３９、左壁４０、後壁４１および前壁４２に囲まれて上側Ｚ１へ開放された前後方向Ｙに長い収容室３４Ａが形成される。
【００３３】
底壁３８の後端部には、底壁３８を上下方向Ｚに貫通して収容室３４Ａに連通した略矩形状の出口３８Ａが形成される（後述する図５も参照）。底壁３８において出口３８Ａよりも前側Ｙ１の領域には、底壁３８を上下方向Ｚに貫通した円形状の挿通穴３８Ｂが複数形成される（後述する図６参照）。これらの挿通穴３８Ｂは、行列状または千鳥状の配列パターンで規則的に分散配置される。
【００３４】
右壁３９の上端の全域には、右側Ｘ２へ張り出して前後方向Ｙに延びるリブ状の右横ガイド部３９Ａが設けられる。右横ガイド部３９Ａは、後端部が右側Ｘ２へ一段張り出すように形成される。右壁３９の後端部には、右壁３９を左右方向Ｘに貫通して収容室３４Ａに連通した略矩形状の出口３９Ｂが形成される。右壁３９の右面において出口３９Ｂよりも前側Ｙ１の領域には、前後一対の右縦ガイド部３９Ｃと、前後一対の右係合部３９Ｄとが設けられる。
【００３５】
各右縦ガイド部３９Ｃは、右壁３９の下端から右横ガイド部３９Ａの手前まで上下方向Ｚに延びるリブである。右縦ガイド部３９Ｃは、右壁３９の右面の前端部と、右壁３９の右面において出口３９Ｂに隣接する部分とに１つずつ設けられる。右係合部３９Ｄは、右壁３９の右面の下端部において右側Ｘ２へ突出する爪状に形成される。前側Ｙ１の右係合部３９Ｄは、前側Ｙ１の右縦ガイド部３９Ｃの下端部に後側Ｙ２から隣接して配置され、後側Ｙ２の右係合部３９Ｄは、後側Ｙ２の右縦ガイド部３９Ｃの下端部に前側Ｙ１から隣接して配置される。
【００３６】
収容部３４は、左右対称に構成される。そのため、左壁４０の上端の全域には、右横ガイド部３９Ａと同形状の左横ガイド部４０Ａが、右横ガイド部３９Ａと左右対称になるように設けられる。左壁４０の後端部には、右壁３９の出口３９Ｂと同形状の出口４０Ｂが形成される。出口４０Ｂは、収容室３４Ａに連通する。左壁４０の左面には、右縦ガイド部３９Ｃと同形状の前後一対の左縦ガイド部４０Ｃが、右縦ガイド部３９Ｃと左右対称になるように設けられる。左壁４０の左面には、右係合部３９Ｄと同形状の前後一対の左係合部４０Ｄが、右係合部３９Ｄと左右対称になるように設けられる。ただし、収容部３４における係合部などの左右の構成は、必ずしも左右対称である必要はない。
【００３７】
後壁４１における下寄りの領域には、後壁４１を前後方向Ｙに貫通した略矩形状の出口４１Ａが形成される。出口４１Ａは、収容室３４Ａに連通する。前後方向Ｙから見て、後壁４１は、前壁４２よりも小さく、前壁４２の輪郭の内側に配置される。前壁４２の外周面には、その周方向に沿って延びる環状のリブ４２Ａが設けられる。前壁４２の外周面においてリブ４２Ａよりも後側Ｙ２の部分には、例えばゴム製のＯリングによって構成された環状のパッキン４３が嵌められる。
【００３８】
操作部３５は、前壁４２と同軸上に配置された円盤部３５Ａと、円盤部３５Ａの前面から前側Ｙ１へ突出した取っ手３５Ｂとを有する。円盤部３５Ａの外周面には、その周方向に延びるロック溝３５Ｃが形成される。ロック溝３５Ｃは、複数存在してもよく、その場合には、円盤部３５Ａの周方向に並んで設けられる。操作部３５は、円盤部３５Ａの中心を通って前後方向Ｙに延びる回転軸（図示せず）まわりに収容部３４に対して相対回転可能である。
【００３９】
アタッチメント３６は、前後方向Ｙに長い長方形板状の底板３６Ａと、底板３６Ａの右端から立ち上がった長方形板状の右板３６Ｂと、底板３６Ａの左端から立ち上がった長方形板状の左板３６Ｃとを有し、前後方向Ｙから見て略Ｕ字状に形成される。アタッチメント３６の全体が、収容部３４の収容室３４Ａに収容される。この状態では、底板３６Ａが、収容部３４の底壁３８において出口３８Ａよりも前側Ｙ１の部分に上側Ｚ１から重なる。底板３６Ａには、底板３６Ａを上下方向Ｚに貫通する円形状の挿通穴３６Ｄが、底壁３８の挿通穴３８Ｂと同数形成される。挿通穴３６Ｄは、挿通穴３８Ｂより一回り大きい。挿通穴３６Ｄは、挿通穴３８Ｂと同じ配列パターンで規則的に分散配置される。そのため、上下方向Ｚから見ると、挿通穴３６Ｄと挿通穴３８Ｂとは、１つずつ重なる（図６参照）。
【００４０】
シール部３７は、前後方向Ｙに長い長方形板状のベース３７Ａと、ベース３７Ａの上面から上側Ｚ１へ突出した円筒部３７Ｂとを有する。円筒部３７Ｂは、挿通穴３６Ｄおよび挿通穴３８Ｂのそれぞれと同数設けられ、これらの挿通穴と同じ配列パターンで規則的に分散配置される。円筒部３７Ｂの外径は、挿通穴３６Ｄの内径と同じである。各円筒部３７Ｂの内側には、上下方向Ｚにおいて円筒部３７Ｂおよびベース３７Ａの両方を貫通する円形状の貫通穴３７Ｃが形成される。貫通穴３７Ｃの内径は、収容部３４の底壁３８の挿通穴３８Ｂの内径と同じである。
【００４１】
シール部３７では、ベース３７Ａが、収容部３４の底壁３８とアタッチメント３６の底板３６Ａとの間に配置され、各円筒部３７Ｂが、底板３６Ａの挿通穴３６Ｄに対して下側Ｚ２から１つずつぴったりと嵌め込まれる。上下方向Ｚから見ると、挿通穴３６Ｄと挿通穴３８Ｂと円筒部３７Ｂの貫通穴３７Ｃとは、１つずつ重なる（図６参照）。
【００４２】
櫛部３３は、前後方向Ｙに長い長方形板状の底板３３Ａと、底板３３Ａの右端の前端部および後端部に１つずつ設けられて底板３３Ａから上側Ｚ１へ突出する右係合部３３Ｂと、底板３３Ａに左端の前端部および後端部に１つずつ設けられて底板３３Ａから上側Ｚ１へ突出する左係合部３３Ｃとを有する。櫛部３３は、左右対称に構成される。底板３３Ａにおいて、左端部および右端部は上側Ｚ１へ傾斜し、左端部と右端部との間の中央部は平坦である。底板３３Ａの中央部の上面には、上側Ｚ１へ延びる細長い円柱状のピン３３Ｄが複数形成される。ピン３３Ｄは、シール部３７の貫通穴３７Ｃと同数設けられ、貫通穴３７Ｃと同じ配列パターンで規則的に分散配置される。これらのピン３３Ｄは、櫛部３３における櫛歯を構成する。ピン３３Ｄの外径は、貫通穴３７Ｃの内径と同じである。
【００４３】
各右係合部３３Ｂには、上下方向Ｚに長い右ガイド穴３３ＢＡが、右係合部３３Ｂを左右方向Ｘに貫通して形成される。各左係合部３３Ｃには、上下方向Ｚに長い左ガイド穴３３ＣＡが、左係合部３３Ｃを左右方向Ｘに貫通して形成される。
【００４４】
櫛部３３は、底板３３Ａの右端において前後一対の右係合部３３Ｂの間から上側Ｚ１へ延びる右側板３３Ｅを有する。右側板３３Ｅは、後上側へ傾斜して延びる上端を有する直角三角形状に形成される。右側板３３Ｅの上端の全域には、右側Ｘ２へ張り出したリブ状の右横ガイド部３３ＥＡが設けられる。
【００４５】
櫛部３３は、底板３３Ａの左端において前後一対の左係合部３３Ｃの間から上側Ｚ１へ延びる左側板３３Ｆを有する。左側板３３Ｆは、右側板３３Ｅと同じ直角三角形状に形成される。左側板３３Ｆの上端の全域には、左側Ｘ１へ張り出したリブ状の左横ガイド部３３ＦＡが設けられる。
【００４６】
櫛部３３は、本体３２の収容部３４に対して下側Ｚ２から被さるように配置される。櫛部３３では、底板３３Ａが、収容部３４の底壁３８において出口３８Ａよりも前側Ｙ１の領域に下側Ｚ２から対向し、各右係合部３３Ｂおよび右側板３３Ｅが収容部３４の右壁３９に右側Ｘ２から対向し、各左係合部３３Ｃおよび左側板３３Ｆが収容部３４の左壁４０に左側Ｘ１から対向する。各右係合部３３Ｂの右ガイド穴３３ＢＡには、右壁３９の右面に設けられた右係合部３９Ｄが１つずつ左側Ｘ１から嵌め込まれる。各左係合部３３Ｃの左ガイド穴３３ＣＡには、左壁４０の左面に設けられた左係合部４０Ｄが１つずつ右側Ｘ２から嵌め込まれる。これにより、櫛部３３は、本体３２に連結され、本体３２によって支持される。
【００４７】
櫛部３３は、右係合部３９Ｄが右ガイド穴３３ＢＡ内で上下方向Ｚに移動できる範囲、換言すれば左係合部４０Ｄが左ガイド穴３３ＣＡ内で上下方向Ｚに移動できる範囲において上下方向Ｚにスライドすることができる。これにより、櫛部３３は、本体３２に対して相対移動可能である。前側Ｙ１の右係合部３９Ｄに前側Ｙ１から隣接する右縦ガイド部３９Ｃと、後側Ｙ２の右係合部３９Ｄに後側Ｙ２から隣接する右縦ガイド部３９Ｃとによって、櫛部３３の移動がガイドされる。前側Ｙ１の左係合部４０Ｄ（図示せず）に前側Ｙ１から隣接する左縦ガイド部４０Ｃと、後側Ｙ２の左係合部４０Ｄに後側Ｙ２から隣接する左縦ガイド部４０Ｃとによっても、櫛部３３の移動がガイドされる。
【００４８】
図４は、排水フィルタ６の斜視図である。図５は、排水フィルタ６の平面図である。図６は、図５のＡ−Ａ矢視断面図である。図４、図５および図６のそれぞれに示す櫛部３３は、下限の退避位置にある。
【００４９】
退避位置にある櫛部３３では、底板３３Ａが本体３２の収容部３４の底壁３８から下側Ｚ２へ離れ、各右係合部３３Ｂの右ガイド穴３３ＢＡの上端に収容部３４の右係合部３９Ｄが位置し、各左係合部３３Ｃの左ガイド穴３３ＣＡの上端に収容部３４の左係合部４０Ｄが位置する。また、右横ガイド部３３ＥＡおよび左横ガイド部３３ＦＡのそれぞれのほとんどが底壁３８よりも低い位置にある。櫛部３３の底板３３Ａから上側Ｚ１へ突出する各ピン３３Ｄでは、その上端部が、底壁３８において対応する位置にある挿通穴３８Ｂと、アタッチメント３６の底板３６Ａにおいて対応する位置にある挿通穴３６Ｄと、シール部３７において対応する位置にある円筒部３７Ｂの貫通穴３７Ｃとに対して下側Ｚ２から挿通される。しかし、各ピン３３Ｄの上端部は、貫通穴３７Ｃから上側Ｚ１へはみ出さず、本体３２内つまり収容部３４の収容室３４Ａから下側Ｚ２へ退避した状態にある。
【００５０】
排水フィルタ６は、各右係合部３３Ｂの右ガイド穴３３ＢＡおよび各左係合部３３Ｃの左ガイド穴３３ＣＡに１つずつ配置される付勢部材４４をさらに含む（図４参照）。付勢部材４４は、右ガイド穴３３ＢＡおよび左ガイド穴３３ＣＡのそれぞれの長手方向に伸縮可能なばねである。右ガイド穴３３ＢＡ内の付勢部材４４は、右係合部３９Ｄよりも下側Ｚ２において圧縮された状態にあり、右係合部３３Ｂを常に下側Ｚ２へ付勢する。左ガイド穴３３ＣＡ内の付勢部材４４は、左係合部４０Ｄよりも下側Ｚ２において圧縮された状態にあり、左係合部３３Ｃを常に下側Ｚ２へ付勢する（図示せず）。これにより、櫛部３３が、付勢部材４４によって、退避位置へ向けて常に付勢される。なお、図４以外の各図では、付勢部材４４の図示が省略される。
【００５１】
付勢部材４４の付勢力に抗して櫛部３３を退避位置から上昇させると、櫛部３３が上限の進出位置に配置される。つまり、櫛部３３は、進出位置と退避位置との間において進退可能である。図７は、櫛部３３が進出位置にあるときの排水フィルタ６の斜視図である。図８は、櫛部３３が進出位置にあるときの排水フィルタ６を図６と同じ切断位置で切断したときの断面図である。
【００５２】
進出位置にある櫛部３３では、底板３３Ａが本体３２の収容部３４の底壁３８に下側Ｚ２から接触し、各右係合部３３Ｂの右ガイド穴３３ＢＡの下端に収容部３４の右係合部３９Ｄが位置し、各左係合部３３Ｃの左ガイド穴３３ＣＡの下端に収容部３４の左係合部４０Ｄが位置する。また、右側板３３Ｅの全体が底壁３８よりも高い位置にあって収容部３４の右壁３９に右側Ｘ２から対向する。また、左側板３３Ｆの全体が底壁３８よりも高い位置にあって収容部３４の左壁４０に左側Ｘ１から対向する。櫛部３３の底板３３Ａから上側Ｚ１へ突出する各ピン３３Ｄでは、その上端部を含む大部分が、底壁３８において対応する位置にある挿通穴３８Ｂと、シール部３７において対応する位置にある円筒部３７Ｂの貫通穴３７Ｃとを通って貫通穴３７Ｃから上側Ｚ１へはみ出し、収容部３４の収容室３４Ａに進出した状態にある。
【００５３】
図９は、受け部３１の斜視図である。受け部３１は、前後方向Ｙに長手のボックス状に形成されたケース５１と、ケース５１の前端に接続された円筒部５２と、ケース５１の後端部および円筒部５２のそれぞれから下側Ｚ２へ突出したブラケット５３と、円筒部５２の前端に接続された縦板５４とを有する。
【００５４】
ケース５１は、後側Ｙ２へ向かうにつれて下降するように水平方向Ｈに対して傾斜して構成される。そのため、ケース５１は、後側Ｙ２へ向かうにつれて下降するように傾斜する底壁５５と、底壁５５の上側Ｚ１に配置されて底壁５５と同様に後下側へ傾斜する長方形板状の天壁５６とを有する。ケース５１は、底壁５５および天壁５６の右端間に架設された長方形板状の右壁５７と、底壁５５および天壁５６の左端間に架設された長方形板状の左壁５８と、底壁５５、天壁５６、右壁５７および左壁５８の各後端に接続された後壁５９とを有する。ケース５１の内部空間５１Ａは、底壁５５および天壁５６によって上下方向Ｚの両側から塞がれて、右壁５７および左壁５８によって左右方向Ｘの両側から塞がれて、後壁５９によって後側Ｙ２から塞がれる。内部空間５１Ａは、後側Ｙ２へ向かうにつれて下降するように傾斜する。
【００５５】
底壁５５は、前後方向Ｙから見てＵ字状に湾曲する。天壁５６の途中には、上側Ｚ１へ突出した円筒状のリブ５６Ａが設けられる。リブ５６Ａに囲まれた部分は、入口５６Ｂであり、天壁５６を貫通してケース５１の内部空間５１Ａに上側Ｚ１から連通する。
【００５６】
右壁５７においてケース５１の内部空間５１Ａに臨む左面には、当該左面の上端部において天壁５６に沿って傾斜しながら直線状に延びる右上ガイド溝５７Ａと、右上ガイド溝５７Ａよりも下側Ｚ２において後側Ｙ２へ延びる右下ガイド溝５７Ｂとが形成される。右上ガイド溝５７Ａは、右壁５７の前端部から後壁５９の手前まで延び、右上ガイド溝５７Ａの前端は、前側Ｙ１へ開放される。
【００５７】
右壁５７の左面には、右下ガイド溝５７Ｂを下側Ｚ２から区画する右下リブ５７Ｃと、右下ガイド溝５７Ｂを上側Ｚ１から区画する右上リブ５７Ｄとが設けられる。右下リブ５７Ｃは、略水平に延び、後側Ｙ２へ向かうにつれて右上ガイド溝５７Ａに接近する。右上リブ５７Ｄは、後側Ｙ２へ向かうにつれて徐々に下降しながら右下リブ５７Ｃに接近する前部分５７ＤＡと、前部分５７ＤＡの後端から後側Ｙ２へ右下リブ５７Ｃと平行に延びる後部分５７ＤＢとを有する。そのため、右下ガイド溝５７Ｂにおける上下方向Ｚの溝幅は、前部分５７ＤＡと右下リブ５７Ｃとの間の領域では後側Ｙ２へ向かうにつれて狭くなり、後部分５７ＤＢと右下リブ５７Ｃとの間の領域では一定になる。後部分５７ＤＢの後端は、右下リブ５７Ｃの後端よりも前側Ｙ１に位置する。右下ガイド溝５７Ｂの前端は、前側Ｙ１へ開放される。
【００５８】
左壁５８においてケース５１の内部空間５１Ａに臨む右面には、当該右面の上端部において天壁５６に沿って傾斜しながら直線状に延びる左上ガイド溝５８Ａと、左上ガイド溝５８Ａよりも下側Ｚ２において後側Ｙ２へ延びる左下ガイド溝５８Ｂとが形成される（後述する図１１を参照）。左上ガイド溝５８Ａは、右上ガイド溝５７Ａと左右対称に構成される。左上ガイド溝５８Ａは、左壁５８の前端部から後壁５９の手前まで延び、左上ガイド溝５８Ａの前端は、前側Ｙ１へ開放される。
【００５９】
左下ガイド溝５８Ｂは、右下ガイド溝５７Ｂと左右対称に構成される。左壁５８の右面には、左下ガイド溝５８Ｂを下側Ｚ２から区画する左下リブ５８Ｃと、左下ガイド溝５８Ｂを上側Ｚ１から区画する左上リブ５８Ｄとが設けられる（図１１参照）。左下リブ５８Ｃは、略水平に延び、後側Ｙ２へ向かうにつれて左上ガイド溝５８Ａに接近する。左上リブ５８Ｄは、後側Ｙ２へ向かうにつれて徐々に下降しながら左下リブ５８Ｃに接近する前部分５８ＤＡと、前部分５８ＤＡの後端から後側Ｙ２へ左下リブ５８Ｃと平行に延びる後部分５８ＤＢとを有する。そのため、左下ガイド溝５８Ｂにおける上下方向Ｚの溝幅は、前部分５８ＤＡと左下リブ５８Ｃとの間の領域では後側Ｙ２へ向かうにつれて狭くなり、後部分５８ＤＢと左下リブ５８Ｃとの間の領域では一定になる。後部分５８ＤＢの後端は、左下リブ５８Ｃの後端よりも前側Ｙ１に位置する。左下ガイド溝５８Ｂの前端は、前側Ｙ１へ開放される。
【００６０】
左壁５８の後端部には、左側Ｘ１へ突出した円筒状のリブ５８Ｅが設けられる。リブ５８Ｅに囲まれた部分は、出口５８Ｆであり、左壁５８を貫通してケース５１の内部空間５１Ａの後端部に左側Ｘ１から連通する（後述する図１０を参照）。天壁５６の入口５６Ｂと左壁５８の出口５８Ｆとが排水路５の途中に接続される（図９および図１０参照）。これにより、ケース５１は、排水路５に組み込まれ、ケース５１の内部空間５１Ａは、排水路５内の一部を構成する。
【００６１】
円筒部５２の内部空間は、円形状の出入口５２Ａとして、ケース５１の内部空間５１Ａに前側Ｙ１から連通する。円筒部５２において出入口５２Ａを区画する内周面の途中には、円環状の段部５２Ｂが設けられる。これにより、円筒部５２の内周面では、段部５２Ｂよりも前側Ｙ１の前領域が、段部５２Ｂよりも後側Ｙ２の後領域よりも大径である。円筒部５２の内周面の前領域には、その周方向に延びるロック爪５２Ｃが設けられる。ロック爪５２Ｃは、複数設けられてもよく、その場合には、円筒部５２の内周面の周方向に並んで配置される。
【００６２】
各ブラケット５３には、貫通穴５３Ａが形成される。貫通穴５３Ａにねじ（図示せず）を挿通して筐体２に組み付けることによって、受け部３１の全体が筐体２に固定される。受け部３１を筐体２の一部とみなしてもよい。
【００６３】
縦板５４は、前側Ｙ１から見て略矩形の額縁状に形成される。円筒部５２の出入口５２Ａは、縦板５４の内側から前側Ｙ１へ露出される。ケース５１における右上ガイド溝５７Ａ、右下ガイド溝５７Ｂ、左上ガイド溝５８Ａおよび左下ガイド溝５８Ｂのそれぞれの前端は、出入口５２Ａから前側Ｙ１へ開放される。縦板５４は、筐体２の前面２Ａ（図１参照）の一部を構成してもよい。出入口５２Ａと、これらのガイド溝とは、筐体２の前面２Ａから前側Ｙ１に臨む。縦板５４の下部は、前側Ｙ１のブラケット５３の一部を構成する。
【００６４】
次に、受け部３１に対する排水フィルタ６の着脱について説明する。図１０は、受け部３１および着脱途中の排水フィルタ６の平面図である。図１１は、図１０のＢ−Ｂ矢視断面図である。図１２は、受け部３１および装着済みの排水フィルタ６の平面図である。図１３は、図１２のＣ−Ｃ矢視断面図である。
【００６５】
排水フィルタ６を装着する場合、図１１を参照して、まず、使用者は、排水フィルタ６の本体３２の操作部３５における取っ手３５Ｂを掴んで、本体３２を受け部３１の出入口５２Ａの前側Ｙ１まで移動させる。このとき、排水フィルタ６の櫛部３３は、退避位置にある（図４参照）。そして、使用者は、本体３２を、後側Ｙ２へ移動させて、収容部３４側から出入口５２Ａに挿入する。
【００６６】
すると、収容部３４が出入口５２Ａを通って受け部３１のケース５１の内部空間５１Ａに収容されていく。また、収容部３４の右横ガイド部３９Ａが、ケース５１内の右上ガイド溝５７Ａの前端に受け入れられて、右上ガイド溝５７Ａ内を後側Ｙ２へ進む（図４および図９参照）。また、収容部３４の左横ガイド部４０Ａが、ケース５１内の左上ガイド溝５８Ａの前端に受け入れられて、左上ガイド溝５８Ａ内を後側Ｙ２へ進む。また、排水フィルタ６の櫛部３３の右横ガイド部３３ＥＡが、ケース５１内の右下ガイド溝５７Ｂの前端に受け入れられて、右下ガイド溝５７Ｂ内を後側Ｙ２へ進む（図４および図９参照）。また、櫛部３３の左横ガイド部３３ＦＡが、ケース５１内の左下ガイド溝５８Ｂの前端に受け入れられて、左下ガイド溝５８Ｂ内を後側Ｙ２へ進む。
【００６７】
前述したように、右下ガイド溝５７Ｂを下側Ｚ２から区画する右下リブ５７Ｃ（図９参照）は、後側Ｙ２へ向かうにつれて右上ガイド溝５７Ａに接近する。また、左下ガイド溝５８Ｂを下側Ｚ２から区画する左下リブ５８Ｃは、後側Ｙ２へ向かうにつれて左上ガイド溝５８Ａに接近する。そのため、収容部３４が内部空間５１Ａに収容されていくにつれて、櫛部３３の右横ガイド部３３ＥＡおよび左横ガイド部３３ＦＡが、右下リブ５７Ｃおよび左下リブ５８Ｃによってそれぞれ下側Ｚ２から押し上げられる。これにより、櫛部３３が、退避位置から進出位置へ向けて上昇する。このように、右下リブ５７Ｃおよび左下リブ５８Ｃは、受け部３１に対する排水フィルタ６の装着に応じて櫛部３３を進出位置側へ進出させるガイド部の一例として機能する。右下リブ５７Ｃおよび左下リブ５８Ｃによって、櫛部３３をスムーズに進出させることができる。
【００６８】
図１３に示すように、収容部３４の前壁４２のパッキン４３が、収容部３４の出入口５２Ａにおける段部５２Ｂに前側Ｙ１から接触すると、収容部３４の全体が内部空間５１Ａに収容されることによって、受け部３１への排水フィルタ６の装着が完了する。この状態では、内部空間５１Ａが前壁４２によって前側Ｙ１から塞がれ、前壁４２と段部５２Ｂとの隙間がパッキン４３によって塞がれる。使用者は、操作部３５における取っ手３５Ｂを掴んで捩ることによって操作部３５を回動させる。これにより出入口５２Ａ内のロック爪５２Ｃ（図９参照）が操作部３５の円盤部３５Ａのロック溝３５Ｃ（図４参照）に入り込むと、操作部３５が前後方向Ｙに動けなくなるので、排水フィルタ６が受け部３１に装着された状態でロックされる。
【００６９】
受け部３１に装着された排水フィルタ６では、本体３２の収容部３４が受け部３１のケース５１の内部空間５１Ａつまり排水路５内に配置され、櫛部３３が収容位置に配置される。つまり、受け部３１に対する排水フィルタ６の装着に応じて櫛部３３が収容位置まで移動して、櫛部３３の各ピン３３Ｄが、本体３２の収容部３４内の収容室３４Ａに進出する（図８参照）。排水路５内の収容部３４は、ケース５１の傾きに応じて、後側Ｙ２へ向かうにつれて下降するように水平方向Ｈに対して傾いて配置される。
【００７０】
排水フィルタ６が受け部３１に装着された状態において、洗濯機１において洗濯運転が実行され、その際に排水弁１２が開くと、洗濯槽１３から排水路５に流れる排水が、ケース５１の天壁５６の入口５６Ｂからケース５１の内部空間５１Ａ内の収容部３４の収容室３４Ａに流れ落ちる。排水は、収容室３４Ａにおいて後側Ｙ２へ流れ落ち、収容部３４における出口３８Ａ、出口３９Ｂ、出口４０Ｂおよび出口４１Ａのいずれかから流出し、ケース５１の左壁５８の出口５８Ｆを通って排水路５の下流端へ向かう。収容室３４Ａにおいて後側Ｙ２へ流れる排水は、進出位置の櫛部３３におけるいずれかのピン３３Ｄの周辺を通過するので、排水に含まれる異物Ｆがピン３３Ｄに引っ掛かることによって捕獲される（図８参照）。これにより、本体３２内では、捕獲された異物Ｆがピン３３Ｄに絡む。
【００７１】
受け部３１に装着された排水フィルタ６では、取っ手３５Ｂが、筐体２の前面２Ａから露出される。排水フィルタ６を離脱させる場合、まず、使用者は、取っ手３５Ｂを掴んで操作部３５を装着時とは逆向きに回動させる。これにより、出入口５２Ａ内のロック爪５２Ｃ（図９参照）が操作部３５の円盤部３５Ａのロック溝３５Ｃ（図４参照）から外れるので、排水フィルタ６のロックが解除され、操作部３５が前後方向Ｙに動けるようになる。次に、使用者は、取っ手３５Ｂを掴んで前側Ｙ１へ引くことにより、本体３２を前側Ｙ１へ移動させる。
【００７２】
すると、図１１に示すように、本体３２の収容部３４が、受け部３１のケース５１の内部空間５１Ａから前側Ｙ１へ移動し、出入口５２Ａから引き出されていく。また、収容部３４の右横ガイド部３９Ａが、前側Ｙ１へ移動して、ケース５１内の右上ガイド溝５７Ａから外れていく（図４および図９参照）。また、収容部３４の左横ガイド部４０Ａが、前側Ｙ１へ移動して、ケース５１内の左上ガイド溝５８Ａから外れていく。また、排水フィルタ６の櫛部３３の右横ガイド部３３ＥＡが、ケース５１の右下ガイド溝５７Ｂ内で前側Ｙ１へ移動する（図４および図９参照）。また、櫛部３３の左横ガイド部３３ＦＡが、ケース５１の左下ガイド溝５８Ｂ内で前側Ｙ１へ移動する。
【００７３】
右下ガイド溝５７Ｂを上側Ｚ１から区画する右上リブ５７Ｄの後部分５７ＤＢは、前側Ｙ１へ向かうにつれて右上ガイド溝５７Ａから離れる（図９参照）。左下ガイド溝５８Ｂを上側Ｚ１から区画する左上リブ５８Ｄの後部分５８ＤＢは、前側Ｙ１へ向かうにつれて左上ガイド溝５８Ａから離れる。そのため、本体３２の収容部３４が、受け部３１のケース５１の内部空間５１Ａおよび出入口５２Ａから前側Ｙ１へ引き出されていくにつれて、櫛部３３の右横ガイド部３３ＥＡおよび左横ガイド部３３ＦＡが、右上リブ５７Ｄの後部分５７ＤＢおよび左上リブ５８Ｄの後部分５８ＤＢによってそれぞれ上側Ｚ１から押し下げられる。これにより、櫛部３３が、収容位置から退避位置へ向けて下降する。このように、右上リブ５７Ｄおよび左上リブ５８Ｄは、受け部３１からの排水フィルタ６の離脱に応じて櫛部３３を退避位置側へ退避させるガイド部の一例として機能する。右上リブ５７Ｄおよび左上リブ５８Ｄによって、櫛部３３をスムーズに退避させることができる。
【００７４】
そして、本体３２の収容部３４の全体が受け部３１の出入口５２Ａよりも前側Ｙ１へ引き出されると、受け部３１からの排水フィルタ６の離脱が完了する。このとき、排水フィルタ６の櫛部３３は、退避位置に配置される。つまり、受け部３１からの排水フィルタ６の離脱に応じて、櫛部３３が退避位置まで移動して、櫛部３３の各ピン３３Ｄが、本体３２の収容部３４内の収容室３４Ａから退避して隠れる（図６参照）。この際、前述した付勢部材４４が櫛部３３を退避位置へ向けて常に付勢するので、各ピン３３Ｄは、収容室３４Ａから完全に隠れるようにアシストされる。
【００７５】
以上のように、排水フィルタ６を受け部３１から離脱させると櫛部３３が収容室３４Ａから退避するので、櫛部３３のピン３３Ｄに絡まった異物Ｆが自動的にピン３３Ｄから取り除かれて収容室３４Ａにまとめられる（図６参照）。そのため、使用者は、メンテナンスのために離脱させた排水フィルタ６の収容室３４Ａからスムーズに異物Ｆを取り出すことができるので、排水フィルタ６のお手入れが簡単になる。また、収容部３４には、糸くずや髪の毛などの長尺の異物Ｆが絡まりやすい小穴が存在しないので、使用者は、収容部３４に絡まった異物Ｆを除去する手間をかけずに済む。よって、排水フィルタ６に関するメンテナンス性の向上を図れる。
【００７６】
進出位置と退避位置との間で進退する櫛部３３では、櫛部３３の各ピン３３Ｄがアタッチメント３６の底板３６Ａの挿通穴３６Ｄに挿通される。底板３６Ａにおける挿通穴３６Ｄの周縁部とピン３３Ｄとの隙間は、シール部３７の円筒部３７Ｂによって埋められる（図６および図８参照）。そのため、この隙間に異物Ｆが入り込むことを防止できる。そのため、この隙間に入り込んだ異物Ｆを取り除く手間を省けるので、排水フィルタ６に関するメンテナンス性の一層の向上を図れる。なお、シール部３７およびアタッチメント３６の少なくともいずれかは、収容部３４と一体形成されてもよい。
【００７７】
この発明は、以上に説明した実施形態に限定されるものではなく、請求項に記載の範囲内において種々の変更が可能である。
【００７８】
例えば、前述した実施形態におけるドラム式の洗濯機１では、軸線Ｊが水平方向Ｈに傾斜するように内槽７が配置されてもよい。また、洗濯機１は、軸線Ｊが縦に延びる縦型の洗濯乾燥機であってもよい。
【符号の説明】
【００７９】
１      洗濯機
２      筐体
５      排水路
６      排水フィルタ
１３    洗濯槽
３２    本体
３３    櫛部
３６Ｄ  挿通穴
３７    シール部
５７Ｃ  右下リブ
５７Ｄ  右上リブ
５８Ｃ  左下リブ
５８Ｄ  左上リブ
Ｆ      異物
Ｌ      洗濯物
【図１】
2020103718.tif 000003
【図２】
2020103718.tif 000004
【図３】
2020103718.tif 000005
【図４】
2020103718.tif 000006
【図５】
2020103718.tif 000007
【図６】
2020103718.tif 000008
【図７】
2020103718.tif 000009
【図８】
2020103718.tif 000010
【図９】
2020103718.tif 000011
【図１０】
2020103718.tif 000012
【図１１】
2020103718.tif 000013
【図１２】
2020103718.tif 000014
【図１３】
2020103718.tif 000015